(57)【要約】  将来の無線通信システムにおいてハーフデュプレックス通信を適切に制御するために、本開示のユーザ端末の一態様は、セルのスロットフォーマットを指定するスロットフォーマット情報を受信する受信部と、スロットフォーマットがフレキシブルに設定される複数のセル間で異なる伝送方向の送受信が指示される場合、各セルの送受信の指示方法に基づいて所定セルの送受信を行い他セルの送受信を行わないように制御する制御部と、を有する。
2020105180.tif 000002
【特許請求の範囲】
【請求項１】
セルのスロットフォーマットを指定するスロットフォーマット情報を受信する受信部と、
スロットフォーマットがフレキシブルに設定される複数のセル間で異なる伝送方向の送受信が指示される場合、各セルの送受信の指示方法に基づいて所定セルの送受信を行い他セルの送受信を行わないように制御する制御部と、を有することを特徴とするユーザ端末。
【請求項２】
前記所定セルに対する送受信の指示が下り制御情報で行われ、前記他セルに対する送受信の指示が上位レイヤシグナリングで行われることを特徴とする請求項１に記載のユーザ端末。
【請求項３】
前記所定セルは、あらかじめ定義されたセルであることを特徴とする請求項１又は請求項２に記載のユーザ端末。
【請求項４】
セルのスロットフォーマットを指定するスロットフォーマット情報を受信する受信部と、
スロットフォーマットがフレキシブルに設定される複数のセル間で異なる伝送方向の送受信が指示される場合にエラーケースと判断する制御部と、を有することを特徴とするユーザ端末。
【請求項５】
前記制御部は、第１のセルに対する送受信の指示が下り制御情報で行われ、第２のセルに対する送受信の指示が上位レイヤシグナリングで行われ、第１のセルと第２のセルに指示される送受信の伝送方向が異なる場合に第１のセル及び第２のセルの送受信を行わないように制御することを特徴とする請求項４に記載のユーザ端末。
【請求項６】
セルのスロットフォーマットを指定するスロットフォーマット情報を受信する工程と、
スロットフォーマットがフレキシブルに設定される複数のセル間で異なる伝送方向の送受信が指示される場合、各セルの送受信の指示方法に基づいて所定セルの送受信を行い他セルの送受信を行わないように制御する工程と、を有することを特徴とする無線通信方法。
【発明の詳細な説明】
【技術分野】
【０００１】
本開示は、次世代移動通信システムにおけるユーザ端末及び無線通信方法に関する。
【背景技術】
【０００２】
Universal  Mobile  Telecommunications  System（ＵＭＴＳ）ネットワークにおいて、更なる高速データレート、低遅延などを目的としてLong  Term  Evolution（ＬＴＥ）が仕様化された（非特許文献１）。また、ＬＴＥ（Third  Generation  Partnership  Project（３ＧＰＰ）  Release（Ｒｅｌ．）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、5th  generation  mobile  communication  system（５Ｇ）、５Ｇ＋（plus）、New  Radio（ＮＲ）、３ＧＰＰ  Ｒｅｌ．１５以降などともいう）も検討されている。【０００４】
既存のＬＴＥシステム（例えば、ＬＴＥ  Ｒｅｌ．１０以降）では、広帯域化を図るために、複数のキャリア（コンポーネントキャリア（ＣＣ：Component  Carrier）、セル）を統合するキャリアアグリゲーション（ＣＡ：Carrier  Aggregation）が導入されている。各キャリアは、ＬＴＥ  Ｒｅｌ.８のシステム帯域を一単位として構成される。また、ＣＡでは、同一の無線基地局（ｅＮＢ:eNodeB）の複数のＣＣがユーザ端末（ＵＥ：User  Equipment）に設定される。【０００５】
既存のＬＴＥシステム（例えば、ＬＴＥ  Ｒｅｌ.１２以降）では、異なる無線基地局の複数のセルグループ（ＣＧ：Cell  Group）がユーザ端末に設定されるデュアルコネクティビティ（ＤＣ：Dual  Connectivity）も導入されている。各セルグループは、少なくとも一つのキャリア（ＣＣ、セル）で構成される。異なる無線基地局の複数のキャリアが統合されるため、ＤＣは、基地局間ＣＡ（Inter-eNB  CA）などとも呼ばれる。【０００６】
既存のＬＴＥシステム（例えば、ＬＴＥ  Ｒｅｌ.１４以前）では、下り（ＤＬ：Downlink）伝送と上り（ＵＬ：Uplink）伝送を時間的に切り替えて行う時分割複信（ＴＤＤ：Time  Division  Duplex）と、下り伝送と上り伝送を異なる周波数帯で行う周波数分割複信（ＦＤＤ：Frequency  Division  Duplex）が導入されている。【０００７】
ＴＤＤは、同一の周波数帯でＤＬ通信とＵＬ通信が時間的に切り替えられるため、ある時間帯で送信及び受信のいずれかしか行うことができないハーフデュプレックス（half-duplex）通信方式となる。ＦＤＤは、異なる周波数帯でＤＬ通信とＵＬ通信が行われるため、ユーザ端末の能力によっては、ハーフデュプレックス通信方式の他、ある時間帯で送信及び受信を同時に行うことができるフルデュプレックス（full-duplex）通信方式となる。
【先行技術文献】
【非特許文献】
【０００８】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００９】
既存のＬＴＥシステムのＴＤＤでは、サブフレーム単位でＵＬとＤＬの切り替えを行う構成であったのに対し、将来の無線通信システム（以下、ＮＲとも記す）では、シンボル単位でＵＬとＤＬの切り替えを行う構成もサポートされる。この場合、ハーフデュプレックス通信をどのように制御するかが問題となる。【００１０】
そこで、本開示は、将来の無線通信システムにおいてハーフデュプレックス通信を適切に制御可能なユーザ端末及び無線通信方法を提供することを目的の１つとする。
【課題を解決するための手段】
【００１１】
本開示の一態様に係るユーザ端末は、セルのスロットフォーマットを指定するスロットフォーマット情報を受信する受信部と、スロットフォーマットがフレキシブルに設定される複数のセル間で異なる伝送方向の送受信が指示される場合、各セルの送受信の指示方法に基づいて所定セルの送受信を行い他セルの送受信を行わないように制御する制御部と、を有することを特徴とする。
【発明の効果】
【００１２】
本開示の一態様によれば、将来の無線通信システムにおいてハーフデュプレックス通信を適切に制御することができる。
【図面の簡単な説明】
【００１３】
【図１】図１は、ＤＣＩを利用してスロットフォーマットに関する情報を基地局からＵＥに通知する際に利用するテーブルの一例を示す図である。
【図２】図２は、シングルセルにフレキシブルが設定される場合の送受信制御の一例を示す図である。
【図３】図３は、複数セルにフレキシブルが設定される場合の送受信制御の一例を示す図である。
【図４】図４は、複数セルにフレキシブルが設定される場合の送受信制御の他の例を示す図である。
【図５】図５は、複数セルにフレキシブルが設定される場合の送受信制御の他の例を示す図である。
【図６】図６は、一実施形態に係る無線通信システムの概略構成の一例を示す図である。
【図７】図７は、一実施形態に係る基地局の構成の一例を示す図である。
【図８】図８は、一実施形態に係るユーザ端末の構成の一例を示す図である。
【図９】図９は、一実施形態に係る基地局及びユーザ端末のハードウェア構成の一例を示す図である。
【発明を実施するための形態】
【００１４】
既存のＬＴＥシステム（例えば、Ｒｅｌ．１４以前）では、ＵＬ伝送とＤＬ伝送の構成として、例えば、ＦＤＤ（フレーム構成タイプ１とも呼ぶ）と、ＴＤＤ（フレーム構成タイプ２とも呼ぶ）が規定されている。
【００１５】
フレーム構成タイプ１（ＦＤＤ）では、例えば、無線フレーム（１０ｍｓの時間間隔）において、１０サブフレームのＤＬ送信と１０サブフレームのＵＬ送信が可能となっている。各１０サブフレームのＤＬ送信とＵＬ送信は、互いの周波数領域が分離されて実行される。
【００１６】
ＦＤＤにおいてフルデュプレックス通信を適用する場合、ＵＥはＵＬ送信とＤＬ受信を同時に行うことができる。一方で、ＦＤＤにおいてハーフデュプレックス通信を適用する場合（例えば、フルデュプレックス通信をサポートしていない場合）、ＵＥは、ＤＬ信号とＵＬ信号の送受信を同時に行うことができない。
【００１７】
フレーム構成タイプ２（ＴＤＤ）では、同じ周波数領域においてＵＬ送信とＤＬ受信を切り替えて行い、ＤＬとＵＬの切り替え時にギャップ（ＧＰ）期間が設定される。ＴＤＤにおいて複数のセルを利用して通信を行う（例えば、キャリアアグリゲーションを利用する）場合、ＵＥはセル間の特別サブフレームのガード期間が所定期間だけオーバーラップすると想定する。
【００１８】
また、ＣＡを適用する複数のセルにおいて異なるＵＬ／ＤＬ構成が適用され、ＵＥが当該複数のセルに対して同時送受信（simultaneous  reception  and  transmission）の能力を具備していない場合、ＵＬ／ＤＬ構成が異なるサブフレームにおいて以下の動作を行う。
・プライマリセルのサブフレームがＤＬサブフレーム（セカンダリセルのサブフレームがＵＬサブフレーム）である場合、ＵＥは、セカンダリセルにおいて信号又はチャネルを送信しない。
・プライマリセルのサブフレームがＵＬサブフレーム（セカンダリセルのサブフレームがＤＬサブフレーム）である場合、ＵＥは、セカンダリセルにおいてＤＬ信号を受信することを想定しない。
・プライマリセルのサブフレームが特別サブフレームであり、且つセカンダリセルのサブフレームがＤＬサブフレームである場合、ＵＥは、セカンダリセルにおいて所定のチャネル及び信号の受信を想定せず、プライマリセルのガード期間又はＵｐＰＴＳ（Uplink  Pilot  Time  Slot）とオーバーラップするセカンダリセルのＯＦＤＭシンボルでは、その他のチャネル及び信号の受信も想定しない。
【００１９】
なお、所定のチャネル及び信号は、ＰＤＳＣＨ（Physical  Downlink  Shared  Channel）、ＥＰＤＣＣＨ（Enhanced  Physical  Downlink  Control  Channel）、ＰＭＣＨ（Physical  Multicast  Channel）及びＰＲＳ（Positioning  Reference  Signal）の少なくとも一つであってもよい。また、その他のチャネル及び信号は、報知信号、又はページングチャネル等であってもよい。
【００２０】
また、ＮＲでは、既存のＬＴＥのようにサブフレーム単位ではなく、サブフレームを構成するシンボル単位でスロットフォーマットを変更してＵＬとＤＬを切り替えて制御する構成がサポートされる。
【００２１】
例えば、基地局は、スロットフォーマットに関する情報をＵＥに送信する。ＵＥは、基地局から送信されたスロットフォーマットに関する情報に基づいてスロットにおける各シンボルの伝送方向を判断して送受信を制御する。スロットフォーマットに関する情報は、上位レイヤシグナリング（例えば、tdd-UL-DL-ConfigurationCommon、tdd-UL-DL-configurationCommon2、及びtdd-UL-DL-ConfigDedicatedの少なくとも一つ）を用いて基地局からＵＥに通知されてもよい。あるいは、スロットフォーマットに関する情報は、下り制御情報（例えば、スロットフォーマット識別子（ＳＦＩ：Slot  Format  Indicator））を用いて基地局からＵＥに通知されてもよい。スロットフォーマットに関する情報（スロットフォーマット情報）の通知に利用されるＤＣＩは、ＤＣＩフォーマット２＿０であってもよい。
【００２２】
スロットフォーマットに関する情報は、ＵＬ伝送を示す「Ｕ」、ＤＬ伝送を示す「Ｄ」、ＵＬ伝送及びＤＬ伝送のいずれも指定しないフレキシブルを示す「Ｆ」（又は、「Ｘ」）が含まれていてもよい。図１に、ＤＣＩを利用してスロットフォーマットに関する情報（例えば、ＳＦＩとも呼ぶ）を基地局からＵＥに通知する際に利用するテーブルの一例を示す。ＵＥは、基地局から送信されるＤＣＩに含まれるビット情報と図１のテーブルに基づいてスロットフォーマットを判断してもよい。
【００２３】
ＮＲでは、キャリアアグリゲーション（例えば、ＴＤＤ  ＣＡ）を適用する場合に、各セル（又は、ＣＣ、キャリア、バンドとも呼ぶ）でそれぞれスロットフォーマットが別々に設定されることも考えられる。例えば、ハーフデュプレックス（half-duplex  communication）通信を行うＵＥ（例えば、フルデュプレックス通信をサポートしていないＵＥ）が複数のセルを利用して通信を行う場合（例えば、ＣＡ）も考えられる。
【００２４】
この場合、各セルにおいてそれぞれスロットフォーマットが別々に設定されることも考えられる。例えば、基地局から所定の複数セルについてそれぞれスロットフォーマットに関する情報を送信する場合、各セルに対応するスロットフォーマット情報が異なって通知されるケースも生じ得る。
【００２５】
各セルで異なるスロットフォーマットが設定される期間において、ＵＥ動作（例えば、送受信）をどのように制御するかが問題となる。また、所定期間において各セルのスロットフォーマット（例えば、上位レイヤで設定されるTDD  config）がそれぞれフレキシブル（Ｆ）として設定される場合、各セルにおけるＵＥ動作（例えば、送受信）をどのように制御するかが問題となる。
【００２６】
そこで、本発明者等は、スロットフォーマットがフレキシブルに設定される場合でも送受信が指示される点に着目し、スロットフォーマットの指示方法（例えば、指示に利用する信号種別）、及び各セルの伝送方向（例えば、送信又は受信）の指示方法（例えば、指示に利用する信号種別）の少なくとも一つに基づいて各セルの送受信を制御することを着想した。あるいは、本発明者等は、スロットフォーマットの指示方法、及び各セルの送受信の指示方法に関わらず各セルの送受信を制御することを着想した。
【００２７】
以下、本開示に係る実施形態について、図面を参照して詳細に説明する。以下に示すＵＥ動作１−３は、それぞれ単独で適用されてもよいし、組み合わせて適用されてもよい。以下の説明において、ＳＦＩに関する情報は、上位レイヤシグナリング（例えば、tdd-UL-DL-ConfigurationCommon、tdd-UL-DL-configurationCommon2、及びtdd-UL-DL-ConfigDedicatedの少なくとも一つ）、及び下り制御情報（例えば、ＳＦＩ）の少なくとも一方を利用して基地局からＵＥに送信されてもよい。
【００２８】
なお、以下の説明では、ハーフデュプレックス通信を行うＵＥ（又は、フルデュプレックス通信をサポートしないＵＥ）に対して好適に適用できるが、これに限られない。また、ハーフデュプレックス通信を行うＵＥは、フルデュプレックス通信をサポートしないＵＥ、バンド間ＣＡ（Inter  Band  CA）において同時にＤＬ受信及びＵＬ送信をサポートしないＵＥ、又はＳＵＬを含むＣＡバンドコンビネーションに対して同時に受信と送信をサポートしないＵＥと読み替えてもよい。また、フルデュプレックス通信をサポートしないＵＥは、フルデュプレックス通信をサポートする旨を報告しないＵＥと読み替えてもよい。
【００２９】
以下に、複数のセル間にハーフデュプレックス動作を適用する場合の一例について説明する。以下の説明において、ＣＣ１、ＣＣ２は、ＵＥがフルデュプレックスをサポートしていない（又は、フルデュプレックス能力（full-duplex  capability）を報告していない）セルに相当する。なお、本実施の形態が適用可能なセル数は２つに限られず３個以上のセルについても同様に適用してもよい。
【００３０】
また、以下の説明において、下り制御情報（ＤＣＩ）で送信が指示されるＵＬ送信は、ＳＲＳ、ＰＵＳＣＨ、ＰＵＣＣＨ又はＰＲＡＣＨの送信であってもよい。また、ＵＬ送信は、ＤＣＩフォーマット０＿０、ＤＣＩフォーマット０＿１、ＤＣＩフォーマット１＿０、ＤＣＩフォーマット１＿１、ＤＣＩフォーマット２＿３、又はランダムアクセスレスポンス用のＵＬグラントでスケジューリングされてもよい。
【００３１】
ＤＣＩで送信が指示されるＤＬ受信は、ＰＤＳＣＨ、又はＣＳＩ−ＲＳの受信であってもよい。また、ＤＬ受信は、ＤＣＩフォーマット１＿０、ＤＣＩフォーマット１＿１、ＤＣＩフォーマット０＿１でスケジューリングされてもよい。
【００３２】
上位レイヤシグナリング（又は、セミスタティック）で設定されるＤＬ（例えば、ＰＤＳＣＨ）は、セミパーシステントスケジューリング（Semi-Persistent  Scheduling（ＳＰＳ））に相当するＤＬ（ＤＬ  ＳＰＳ）であってもよい。上位レイヤシグナリング（又は、セミスタティック）で設定されるＵＬ（例えば、ＰＵＳＣＨ）は、セミパーシステントスケジューリング（ＳＰＳ））に相当するＵＬ（ＵＬ  ＳＰＳ）であってもよいし、設定グラントベースのＵＬ（例えば、設定グラントベースのＰＵＳＣＨ）であってもよい。
【００３３】
はじめに、ＵＥが１つのセル（シングルセル）を利用してハーフデュプレックス動作を行う場合（Ｎｏｎ−ＣＡ）のＵＥ動作の一例について説明する。
【００３４】
（シングルセル）
図２は、シングルセルを利用する場合のＵＥ動作の一例を示す図である。具体的に、図２では、所定期間（例えば、所定スロット、又は所定シンボル期間）において、伝送方向が異なる送受信の少なくとも一つが設定された場合のＵＥ動作（ケース１−１０）を示している。伝送方向が異なる送受信は、ＵＬ送信とＤＬ送信であってもよいし、ＵＬ送信とダイナミックＤＬスロットフォーマットであってもよいし、ＤＬ送信とダイナミックＵＬスロットフォーマットであってもよい。ダイナミックＤＬスロットフォーマット又はＵＬスロットフォーマットは、ＤＣＩで通知されるスロットフォーマットであってもよい。
【００３５】
ケース１では、上位レイヤシグナリングによりスロットフォーマット（又は、TDD  config）がＤＬに設定される場合を示している。当該ＤＬが設定される期間において、ＵＥは、ＵＬ送信が指示される場合にエラーケースと判断してもよい。すなわちＵＥは、当該ＤＬが設定される期間において、ＵＬ送信が指示されないと期待してもよい。あるいはＵＥは、当該ＤＬが設定される期間において、ＵＬ送信が指示された場合、ＵＬ送信指示を無視（または破棄）するものとしてもよい。ＵＬ送信指示は、例えば、ＵＬグラントによるスケジューリング、セミスタティックに設定されるＵＬ送信（例えば、ＵＬ  ＳＰＳ、設定グラントベースのＵＬ送信）、下り制御情報によるダイナミックなＵＬスロットフォーマット指示の少なくとも一つであってもよい。
【００３６】
ケース２では、上位レイヤシグナリングによりスロットフォーマット（又は、TDD  config）がＵＬに設定される場合を示している。当該ＵＬが設定される期間において、ＵＥは、ＤＬ送信が指示される場合にエラーケースと判断してもよい。すなわちＵＥは、当該ＵＬが設定される期間において、ＤＬ送信が指示されないと期待してもよい。あるいはＵＥは、当該ＵＬが設定される期間において、ＤＬ送信が指示された場合、ＤＬ送信指示を無視（または破棄）するものとしてもよい。ＤＬ送信指示は、例えば、ＤＬアサイメントによるスケジューリング、セミスタティックに設定されるＤＬ送信（例えば、ＤＬ  ＳＰＳ）、下り制御情報によるダイナミックなＤＬスロットフォーマット指示の少なくとも一つであってもよい。
【００３７】
ケース３−６では、上位レイヤシグナリングによりスロットフォーマット（又は、TDD  config）がフレキシブル（Ｆ）に設定される場合を示している。フレキシブル（Ｆ）が設定される期間では、ＵＥに対してＵＬ送信指示及びＤＬ受信指示が通知されるケースも生じる。かかる場合、異なる伝送方向が重複して設定される期間において、送信及び受信の少なくとも一方（以下、送受信とも記す）を指示する方法（例えば、信号種別）、スロットフォーマットを指示する方法（例えば、信号種別）に基づいてＵＥ動作を制御してもよい。
【００３８】
例えば、ＵＥは、ＤＣＩで指示される送受信又はスロットフォーマットと、上位レイヤシグナリング（又は、セミスタティック）で指示される送受信との伝送方向が異なる場合、一方の信号種別（例えば、ＤＣＩ）を優先してもよい。
【００３９】
ケース３では、所定期間に対するＤＬ伝送指示（例えば、ＤＬアサイメント及びＤＬスロットフォーマット指示の少なくとも一方）と、ＵＬ伝送指示（例えば、ＵＬグラント及びＵＬスロットフォーマット指示）との両方がＤＣＩで指示される。かかる場合、ＵＥは、エラーケースと判断してもよい。すなわちＵＥは、所定期間に対するＤＬ伝送指示（例えば、ＤＬアサイメント及びＤＬスロットフォーマット指示の少なくとも一方）と、ＵＬ伝送指示（例えば、ＵＬグラント及びＵＬスロットフォーマット指示）との両方がＤＣＩで指示されないと期待してもよい。前記ＤＬ伝送指示と、ＵＬ伝送指示との両方がＤＣＩで指示された場合、ＵＥは、ＤＬ伝送指示を優先しＵＬ伝送指示を無視（または破棄）してもよい。または、ＵＬ伝送指示を優先しＤＬ伝送指示を無視（または破棄）してもよい。あるいはＵＥは、ＤＬ伝送指示もＵＬ伝送時も無視（または破棄）し、いずれの動作も行わないものとしてもよい。ＤＬ伝送指示を破棄する場合は、そのＤＬ受信に付随するＵＬ送信動作（例えばＨＡＲＱ−ＡＣＫフィードバック）、ＵＬ伝送指示を破棄する場合は、そのＵＬ送信に付随するＤＬ受信動作（例えば非周期ＣＳＩ−ＲＳ受信動作）やＵＬ送信動作（例えばＳＲＳ送信動作）も合わせて破棄するものとしてもよい。
【００４０】
ケース６では、所定期間に対するＤＬ伝送指示（例えば、ＤＬ設定）と、ＵＬ伝送指示（例えば、ＵＬ設定）との両方が上位レイヤシグナリング（又は、セミスタティック）で指示される。かかる場合、ＵＥは、エラーケースと判断してもよい。すなわちＵＥは、所定期間に対するＤＬ伝送指示（例えば、ＤＬ設定）と、ＵＬ伝送指示（例えば、ＵＬ設定）との両方が上位レイヤシグナリング（又は、セミスタティック）で指示されないと期待してもよい。
【００４１】
ケース４では、所定期間に対するＤＬ伝送指示（例えば、ＤＬアサイメント及びＤＬスロットフォーマット指示の少なくとも一方）がＤＣＩで指示され、ＵＬ伝送指示（例えば、ＵＬ設定）が上位レイヤシグナリングで指示される。かかる場合、ＵＥは、ＤＬ受信を行い、ＵＬ送信を行わないように制御してもよい。つまり、セミスタティックに設定されるＵＬ送信がＤＬアサイメントによりキャンセルされてもよい。なお、ＵＥは、ＵＬ設定のキャンセルまでに十分な時間が確保できる場合（例えば、あらかじめ定義されたタイムラインが十分である場合）にＵＬ送信のキャンセルを行う構成としてもよい。ここでＵＬ送信をキャンセルするとは、設定や指示に基づくＵＬ送信を行わないことを意味するものとしてもよい。また、あらかじめ定義されたタイムラインが十分であるとは、ＤＬ伝送指示をＤＣＩで受信してから、当該ＤＣＩに基づいてキャンセルするＵＬ送信の開始時刻までの間に、所定の処理時間（例えば、Ｎ２シンボル）が確保できる場合を意味するものとしてもよい。
【００４２】
ケース５では、所定期間に対するＵＬ伝送指示（例えば、ＵＬグラント及びＵＬスロットフォーマット指示の少なくとも一方）がＤＣＩで指示され、ＤＬ伝送指示（例えば、ＤＬ設定）が上位レイヤシグナリングで指示される。かかる場合、ＵＥは、ＵＬ送信を行い、ＤＬ受信を行わないように制御してもよい。つまり、セミスタティックに設定されるＤＬ受信がＵＬグラントによりキャンセルされてもよい。なお、ＵＥは、この場合、ＤＬ受信のキャンセルを行う構成としてもよい。ここでＤＬ受信をキャンセルするとは、設定や指示に基づくＤＬ受信を行わないことを意味するものとしてもよい。
【００４３】
ケース７−１０では、下り制御情報（例えば、ＳＦＩ通知用のＤＣＩ）によりスロットフォーマット（又は、ダイナミックＳＦＩ）がフレキシブル（Ｆ）に設定される場合を示している。フレキシブル（Ｆ）が設定される期間では、ＵＥに対してＵＬ送信指示又はＤＬ受信指示が通知されるケースも生じる。かかる場合、ＵＥは、異なる伝送方向が重複して設定される期間において、送信及び受信の少なくとも一方（以下、送受信とも記す）を指示する制御信号の種別、スロットフォーマットを指示する制御信号の種別に基づいてＵＥ動作を制御してもよい。
【００４４】
例えば、ＵＥは、下り制御情報（ＤＣＩ）で指示される送受信、上位レイヤシグナリング（又は、セミスタティック）で指示される送受信との伝送方向が異なる場合、一方の信号種別（例えば、ＤＣＩ）を優先してもよい。
【００４５】
ケース７では、所定期間に対するＤＬ伝送指示（例えば、ＤＬアサイメント）と、ＵＬ伝送指示（例えば、ＵＬグラント）との両方がＤＣＩで指示される。かかる場合、ＵＥは、エラーケースと判断してもよい。すなわちＵＥは、所定期間に対するＤＬ伝送指示（例えば、ＤＬアサイメント）と、ＵＬ伝送指示（例えば、ＵＬグラント）との両方がＤＣＩで指示されないと期待してもよい。
【００４６】
ケース１０では、所定期間に対するＤＬ伝送指示（例えば、ＤＬ設定）と、ＵＬ伝送指示（例えば、ＵＬ設定）との両方が上位レイヤシグナリング（又は、セミスタティック）で指示される。かかる場合、ＵＥは、エラーケースと判断してもよい。すなわちＵＥは、所定期間に対するＤＬ伝送指示（例えば、ＤＬ設定）と、ＵＬ伝送指示（例えば、ＵＬ設定）との両方が上位レイヤシグナリング（又は、セミスタティック）で指示されないと期待してもよい。
【００４７】
ケース８では、所定期間に対するＤＬ伝送指示（例えば、ＤＬアサイメント）がＤＣＩで指示され、ＵＬ伝送指示（例えば、ＵＬ設定）が上位レイヤシグナリングで指示される。かかる場合、ＵＥは、ＤＬ受信を行い、ＵＬ送信を行わないように制御してもよい。つまり、セミスタティックに設定されるＵＬ送信がＤＬアサイメントによりキャンセルされてもよい。なお、ＵＥは、ＤＬアサイメントを受信してからＵＬ設定（又は、ＵＬ送信）のキャンセルまでに十分な時間が確保できる（例えば、所定のタイムラインが十分である）場合にＵＬ送信のキャンセルを行う構成としてもよい。
【００４８】
ケース９では、所定期間に対するＵＬ伝送指示（例えば、ＵＬグラント）がＤＣＩで指示され、ＤＬ伝送指示（例えば、ＤＬ設定）が上位レイヤシグナリングで指示される。かかる場合、ＵＥは、ＵＬ送信を行い、ＤＬ受信を行わないように制御してもよい。つまり、セミスタティックに設定されるＤＬ受信がＵＬグラントによりキャンセルされてもよい。なお、ＵＥは、この場合、ＤＬ受信のキャンセルを行う構成としてもよい。
【００４９】
（複数セル）
複数セルを利用する場合、ＵＥは、当該複数のセル間でハーフデュプレックス動作を適用しても良い。当該複数のセル間でハーフデュプレックス動作を適用する必要があるか、それともフルデュプレックス動作が適用可能であるかは、端末能力情報（例えば、simultaneousRxTxInterBandCA）として、ＵＥから例えばバンド組み合わせ毎に無線基地局に報告することができる。かかる場合、所定期間において複数のセル間で同じ伝送方向の送受信が指示される場合、各セルにおいて指示された送受信を行えば良い。一方で、複数のセル間で伝送方向が異なる送受信（又は、スケジューリング、設定）が指示される場合には以下のＵＥ動作１−３のいずれかを適用しても良い。
【００５０】
＜ＵＥ動作１＞
図３は、複数セル（ここでは、ＣＣ１、ＣＣ２）を利用する場合のＵＥ動作の一例を示す図である。具体的に、図３では、所定期間（例えば、所定スロット、又は所定シンボル期間）において、ＣＣ１とＣＣ２に異なる伝送方向が設定された場合のＵＥ動作（ケース１−１８）を示している。伝送方向の設定は、ＵＬ送信、ＤＬ受信、ダイナミックＵＬスロットフォーマット、及びダイナミックＤＬスロットフォーマットの指示のいずれかと読み替えてもよい。
【００５１】
ケース１では、ＣＣ１に対して上位レイヤシグナリングによりスロットフォーマット（又は、TDD  config）がＤＬ（Ｄ）に設定される場合を示している。当該ＤＬ（Ｄ）が設定される期間において、ＵＥは、ＣＣ２においてＵＬ送信が指示される場合にエラーケースと判断してもよい。すなわちＵＥは、当該ＤＬが設定される期間において、ＵＬ送信が指示されないと期待してもよい。あるいはＵＥは、当該ＤＬが設定される期間において、ＵＬ送信が指示された場合、ＵＬ送信指示を無視（または破棄）するものとしてもよい。ＵＬ送信指示は、例えば、ＵＬグラントによるスケジューリング、セミスタティックに設定されるＵＬ送信（例えば、ＵＬ  ＳＰＳ、設定グラントベースのＵＬ送信）、下り制御情報によるダイナミックなＵＬスロットフォーマット指示の少なくとも一つであってもよい。
【００５２】
ケース２では、ＣＣ２に対して上位レイヤシグナリングによりスロットフォーマット（又は、TDD  config）がＵＬ（Ｕ）に設定される場合を示している。当該ＵＬ（Ｕ）が設定される期間において、ＵＥは、ＣＣ２においてＤＬ送信が指示される場合にエラーケースと判断してもよい。すなわちＵＥは、当該ＵＬが設定される期間において、ＤＬ送信が指示されないと期待してもよい。あるいはＵＥは、当該ＵＬが設定される期間において、ＤＬ送信が指示された場合、ＤＬ送信指示を無視（または破棄）するものとしてもよい。ＤＬ送信指示は、例えば、ＤＬアサイメントによるスケジューリング、セミスタティックに設定されるＤＬ送信（例えば、ＤＬ  ＳＰＳ）、下り制御情報によるダイナミックなＤＬスロットフォーマット指示の少なくとも一つであってもよい。
【００５３】
ケース３−１８では、ＣＣ１とＣＣ２に対してスロットフォーマット（又は、TDD  config）がフレキシブル（Ｆ）に設定される場合を示している。具体的には、ケース３−１０では、ＣＣ１に対して上位レイヤシグナリングによりスロットフォーマット（又は、TDD  config）がフレキシブル（Ｆ）に設定される場合を示している。また、ケース１１−１８では、ＣＣ１に対して下り制御情報（例えば、ＳＦＩ通知用のＤＣＩ）によりスロットフォーマット（又は、ダイナミックＳＦＩ）がフレキシブル（Ｆ）に設定される場合を示している。
【００５４】
ＣＣ２に対するスロットフォーマットの設定は、上位レイヤシグナリングにより設定されてもよい（例えば、TDD  config）し、下り制御情報により設定されてもよい。あるいは、ＣＣ２に対して上位レイヤシグナリングによるスロットフォーマットの設定が行われない場合に、ＵＥは、設定が行われない期間においてＣＣ２にフレキシブル（Ｆ）が設定されると想定してもよい。
【００５５】
フレキシブル（Ｆ）が設定される期間では、ＣＣ１及びＣＣ２においてＵＬ送信指示及びＤＬ受信指示が通知されるケースも生じる。かかる場合、ＣＣ１とＣＣ２に対して異なる伝送方向が重複して設定される期間も発生する。
【００５６】
ＵＥ動作１では、スロットフォーマットがフレキシブル（Ｆ）に設定される複数のセル（例えば、ＣＣ１とＣＣ２）に対して伝送方向が異なる送受信が指示された場合にＵＥがエラーケースと判断する。ＵＥは、エラーケースと判断した場合に所定動作（例えば、各セルの送受信のキャンセル）を行うように制御してもよい。
【００５７】
つまり、ＣＣ１に対して指示された送受信（例えば、上位レイヤシグナリンで設定された送受信）が、ＣＣ２に対して指示された送受信（例えば、ＤＣＩでスケジューリングされた送受信）によりキャンセルされない構成とする。同様に、ＣＣ２に対して指示された送受信（例えば、上位レイヤシグナリンで設定された送受信）が、ＣＣ１に対して指示された送受信（例えば、ＤＣＩでスケジューリングされた送受信）によりキャンセルされない構成とする。
【００５８】
ケース３、７では、所定期間においてＣＣ１とＣＣ２に対して、下り制御情報により伝送方向が異なる送受信が設定される。例えば、ＣＣ１とＣＣ２に対して、ＤＬ伝送指示（例えば、ＤＬアサイメント及びＤＬスロットフォーマット指示の少なくとも一方）と、ＵＬ伝送指示（例えば、ＵＬグラント及びＵＬスロットフォーマット指示の少なくとも一方）とがそれぞれＤＣＩで指示される。かかる場合、ＵＥは、エラーケースと判断してもよい。
【００５９】
エラーケースと判断した場合、ＵＥは、所定期間に対するＤＬ伝送指示（例えば、ＤＬアサイメント及びＤＬスロットフォーマット指示の少なくとも一方）と、ＵＬ伝送指示（例えば、ＵＬグラント及びＵＬスロットフォーマット指示）との両方がＤＣＩで指示されないと期待してもよい。ＤＬ伝送指示と、ＵＬ伝送指示との両方がＤＣＩで指示された場合、ＵＥは、ＤＬ伝送指示を優先しＵＬ伝送指示を無視（または破棄）してもよい。または、ＵＬ伝送指示を優先しＤＬ伝送指示を無視（または破棄）してもよい。あるいはＵＥは、ＤＬ伝送指示もＵＬ伝送時も無視（または破棄）し、いずれの動作も行わないものとしてもよい。ＤＬ伝送指示を破棄する場合は、そのＤＬ受信に付随するＵＬ送信動作（例えばＨＡＲＱ−ＡＣＫフィードバック）、ＵＬ伝送指示を破棄する場合は、そのＵＬ送信に付随するＤＬ受信動作（例えば非周期ＣＳＩ−ＲＳ受信動作）やＵＬ送信動作（例えばＳＲＳ送信動作）も合わせて破棄するものとしてもよい。
【００６０】
ケース６、１０では、所定期間においてＣＣ１とＣＣ２に対して、上位レイヤシグナリング（又は、セミスタティック）により伝送方向が異なる送受信が設定される。例えば、ＣＣ１とＣＣ２に対して、ＤＬ伝送指示（例えば、ＤＬ設定）と、ＵＬ伝送指示（例えば、ＵＬ設定）とがそれぞれ上位レイヤシグナリング（又は、セミスタティック）で設定される。かかる場合、ＵＥは、エラーケースと判断してもよい。すなわちＵＥは、所定期間に対するＤＬ伝送指示（例えば、ＤＬ設定）と、ＵＬ伝送指示（例えば、ＵＬ設定）との両方が上位レイヤシグナリング（又は、セミスタティック）で指示されないと期待してもよい。
【００６１】
ケース４、９では、所定期間においてＣＣ１とＣＣ２に対して、下り制御情報と上位レイヤシグナリングとにより伝送方向が異なる送受信が設定される。例えば、ＣＣ１とＣＣ２の一方に対してＤＬ伝送指示（例えば、ＤＬアサイメント及びＤＬスロットフォーマット指示の少なくとも一方）がＤＣＩで指示され、他方に対してＵＬ伝送指示（例えば、ＵＬ設定）が上位レイヤシグナリングで指示される。かかる場合、ＵＥは、エラーケースと判断してもよい。
【００６２】
エラーケースと判断した場合、ＵＥは、所定期間に対するＤＬ伝送指示（例えば、ＤＬアサイメント及びＤＬスロットフォーマット指示の少なくとも一方）がＤＣＩで指示されないと期待してもよい。また、ＵＥは、所定期間に対するＵＬ伝送指示（例えば、ＵＬ設定）が上位レイヤシグナリング（又は、セミスタティック）で指示されないと期待してもよい。また、ＵＥは、ＤＣＩによるＤＬ伝送指示と、上位レイヤシグナリングによるＵＬ伝送指示があった場合、ＤＬ伝送指示を優先しＵＬ伝送指示を無視（または破棄）してもよい。あるいはＵＥは、ＤＬ伝送指示もＵＬ伝送時も無視（または破棄）し、いずれの動作も行わないものとしてもよい。ＤＬ伝送指示を破棄する場合は、そのＤＬ受信に付随するＵＬ送信動作（例えばＨＡＲＱ−ＡＣＫフィードバック）、ＵＬ伝送指示を破棄する場合は、そのＵＬ送信に付随するＤＬ受信動作（例えば非周期ＣＳＩ−ＲＳ受信動作）やＵＬ送信動作（例えばＳＲＳ送信動作）も合わせて破棄するものとしてもよい。
【００６３】
ケース５、８では、所定期間においてＣＣ１とＣＣ２に対して、下り制御情報と上位レイヤシグナリングとにより伝送方向が異なる送受信が設定される。例えば、ＣＣ１とＣＣ２の一方に対してＵＬ伝送指示（例えば、ＵＬグラント及びＵＬスロットフォーマット指示の少なくとも一方）がＤＣＩで指示され、他方に対してＤＬ伝送指示（例えば、ＤＬ設定）が上位レイヤシグナリングで指示される。かかる場合、ＵＥは、エラーケースと判断してもよい。
【００６４】
エラーケースと判断した場合、ＵＥは、所定期間に対するＵＬ伝送指示（例えば、ＵＬグラント及びＵＬスロットフォーマット指示の少なくとも一方）がＤＣＩで指示されないと期待してもよい。また、ＵＥは、所定期間に対するＤＬ伝送指示（例えば、ＤＬ設定）が上位レイヤシグナリング（又は、セミスタティック）で指示されないと期待してもよい。また、ＵＥは、ＤＣＩによるＵＬ伝送指示と、上位レイヤシグナリングによるＤＬ伝送指示があった場合、ＵＬ伝送指示を優先しＤＬ伝送指示を無視（または破棄）してもよい。あるいはＵＥは、ＤＬ伝送指示もＵＬ伝送時も無視（または破棄）し、いずれの動作も行わないものとしてもよい。
【００６５】
ケース１１、１５では、所定期間においてＣＣ１とＣＣ２に対して、下り制御情報により伝送方向が異なる送受信が設定される。例えば、ケース１１では、ＣＣ１に対してＤＬ伝送指示（例えば、ＤＬアサイメント）がＤＣＩで送信され、ＣＣ２に対してＵＬ伝送指示（例えば、ＵＬグラント及びＵＬスロットフォーマット指示の少なくとも一方）がＤＣＩで送信される。ケース１５では、ＣＣ１に対してＵＬ伝送指示（例えば、ＵＬグラント）がＤＣＩで送信され、ＣＣ２に対してＤＬ伝送指示（例えば、ＤＬアサイメント及びＤＬスロットフォーマット指示の少なくとも一方）がＤＣＩで送信される。かかる場合、ＵＥは、エラーケースと判断してもよい。エラーケースと判断する場合、ＵＥは、ケース３、７で示したエラーケースと同様に動作してもよい。
【００６６】
ケース１４、１８では、所定期間においてＣＣ１とＣＣ２に対して、上位レイヤシグナリング（又は、セミスタティック）により伝送方向が異なる送受信が設定される。例えば、ＣＣ１とＣＣ２に対して、ＤＬ伝送指示（例えば、ＤＬ設定）と、ＵＬ伝送指示（例えば、ＵＬ設定）とがそれぞれ上位レイヤシグナリング（又は、セミスタティック）で設定される。かかる場合、ＵＥは、エラーケースと判断してもよい。エラーケースと判断する場合、ＵＥは、ケース６、１０で示したエラーケースと同様に動作してもよい。
【００６７】
ケース１２、１７では、ＣＣ１とＣＣ２の一方に対してＤＬ伝送指示がＤＣＩで指示され、他方に対してＵＬ伝送指示が上位レイヤシグナリングで指示される。例えば、ケース１２では、ＣＣ１に対してＤＬ伝送指示（例えば、ＤＬアサイメント）がＤＣＩで送信され、ＣＣ２に対してＵＬ伝送指示（例えば、ＵＬ設定）が上位レイヤシグナリングで指示される。ケース１７では、ＣＣ１に対してＵＬ伝送指示（例えば、ＵＬ設定）が上位レイヤシグナリングで指示され、ＣＣ２に対してＤＬ伝送指示（例えば、ＤＬアサイメント及びＤＬスロットフォーマット指示の少なくとも一方）がＤＣＩで送信される。かかる場合、ＵＥは、エラーケースと判断してもよい。エラーケースと判断する場合、ＵＥは、ケース４、９で示したエラーケースと同様に動作してもよい。
【００６８】
ケース１３、１６では、ＣＣ１とＣＣ２の一方に対してＵＬ伝送指示がＤＣＩで指示され、他方に対してＤＬ伝送指示が上位レイヤシグナリングで指示される。例えば、ケース１３では、ＣＣ１に対してＤＬ伝送指示（例えば、ＤＬ設定）が上位レイヤシグナリングで指示され、ＣＣ２に対してＵＬ伝送指示（例えば、ＵＬグラント及びＵＬスロットフォーマット指示の少なくとも一方）がＤＣＩで送信される。ケース１６では、ＣＣ１に対してＵＬ伝送指示（例えば、ＵＬグラント）がＤＣＩで送信され、ＣＣ２に対してＤＬ伝送指示（例えば、ＤＬ設定）が上位レイヤシグナリングで指示される。かかる場合、ＵＥは、エラーケースと判断してもよい。エラーケースと判断する場合、ＵＥは、ケース５、８で示したエラーケースと同様に動作してもよい。
【００６９】
このように、ＵＥ動作１では、所定期間にスロットフォーマットがフレキシブル（Ｆ）に設定される複数のセル（例えば、ＣＣ１とＣＣ２）間で異なる伝送方向が指示された場合にエラーケースとしてハーフデュプレックス動作を行う。これにより、複数セル間においてハーフデュプレックス動作を行う場合のＵＥ動作を簡略化することができる。
【００７０】
＜ＵＥ動作２＞
図４は、複数セル（ここでは、ＣＣ１、ＣＣ２）を利用する場合のＵＥ動作の一例を示す図である。具体的に、図４では、所定期間（例えば、所定スロット、又は所定シンボル期間）において、ＣＣ１とＣＣ２に異なる伝送方向が設定された場合のＵＥ動作（ケース１−１８）を示している。伝送方向の設定は、ＵＬ送信、ＤＬ受信、ダイナミックＵＬスロットフォーマット、及びダイナミックＤＬスロットフォーマットの指示のいずれかと読み替えてもよい。
【００７１】
ＵＥ動作２では、スロットフォーマットがフレキシブル（Ｆ）に設定される複数のセル（例えば、ＣＣ１とＣＣ２）に対して伝送方向が異なる送受信が指示された場合、セル種別と、送受信を指示する方法（例えば、制御信号の種別）及びスロットフォーマットを指示する方法（例えば、制御信号の種別）の少なくとも一方と、に基づいてＵＥ動作を制御してもよい。
【００７２】
例えば、ＵＥは、下り制御情報（ＤＣＩ）で指示される送受信又はスロットフォーマットと、上位レイヤシグナリング（又は、セミスタティック）で指示される送受信との伝送方向が異なる場合、所定セル（リファレンスセルとも呼ぶ）に対する一方の信号種別（例えば、ＤＣＩ）を優先してもよい。
【００７３】
つまり、あるセルに対して指示された送受信（例えば、上位レイヤシグナリンで設定された送受信）が、所定セルに対して指示された送受信（例えば、ＤＣＩでスケジューリングされた送受信）によりキャンセルされる構成とする。一方で、所定セルに対して指示された送受信（例えば、上位レイヤシグナリンで設定された送受信）が、他のセルに対して指示された送受信（例えば、ＤＣＩでスケジューリングされた送受信）によりキャンセルされない構成とする。
【００７４】
所定セル（リファレンスセル）は、複数セルにプライマリセル（ＰＣｅｌｌ）が含まれる場合にはＰＣｅｌｌであってもよい。また、複数セルにＰＣｅｌｌが含まれずプライマリＳＣｅｌｌ（ＰＳＣｅｌｌ）が含まれる場合には、ＰＳＣｅｌｌをリファレンスセルとしてもよい。また、複数セルにＰＣｅｌｌ及びＰＳＣｅｌｌが含まれない場合には、所定のインデックス（例えば、最も小さいインデックス）のＳＣｅｌｌをリファレンスセルと定義してもよい。
【００７５】
図４では、ＣＣ１が所定セルに対応し、ＣＣ２が他のセルに対応する場合を示している。この場合、ＣＣ２に対して指示された送受信（例えば、上位レイヤシグナリンで設定された送受信）が、ＣＣ１に対して指示された送受信（例えば、ＤＣＩでスケジューリングされた送受信）によりキャンセルされる（ケース４、８、１２、１６）。一方で、ＣＣ１に対して指示された送受信（例えば、上位レイヤシグナリンで設定された送受信）が、ＣＣ２に対して指示された送受信（例えば、ＤＣＩでスケジューリングされた送受信）によりキャンセルされない構成とする（ケース５、９、１３、１７）。
【００７６】
例えば、ケース４では、リファレンスセルとなるＣＣ１に対してＤＬ伝送指示（例えば、ＤＬアサイメント及びＤＬスロットフォーマット指示の少なくとも一方）がＤＣＩで送信され、ＣＣ２に対してＵＬ伝送指示（例えば、ＵＬ設定）が上位レイヤシグナリングで指示される。かかる場合、ＵＥは、ＣＣ１におけるＤＬ受信を行い、ＣＣ２におけるＵＬ送信を行わないように制御してもよい。
【００７７】
つまり、ＣＣ２にセミスタティックに設定されるＵＬ送信がＣＣ１で通知されるＤＬアサイメント及びＤＬスロットフォーマット指示の少なくとも一方によりキャンセルされてもよい。なお、ＵＥは、ＵＬ設定のキャンセルまでに十分な時間が確保できる場合にＵＬ送信のキャンセルを行う構成としてもよい。
【００７８】
ケース８では、リファレンスセルとなるＣＣ１に対してＵＬ伝送指示（例えば、ＵＬグラント及びＵＬスロットフォーマット指示の少なくとも一方）がＤＣＩで送信され、ＣＣ２に対してＤＬ伝送指示（例えば、ＤＬ設定）が上位レイヤシグナリングで指示される。かかる場合、ＵＥは、ＣＣ１におけるＵＬ送信を行い、ＣＣ２におけるＤＬ受信を行わないように制御してもよい。
【００７９】
つまり、ＣＣ２にセミスタティックに設定されるＤＬ受信がＣＣ１で通知されるＵＬグラント及びＵＬスロットフォーマット指示の少なくとも一方によりキャンセルされてもよい。
【００８０】
ケース１２では、リファレンスセルとなるＣＣ１に対してＤＬ伝送指示（例えば、ＤＬアサイメント）がＤＣＩで送信され、ＣＣ２に対してＵＬ伝送指示（例えば、ＵＬ設定）が上位レイヤシグナリングで指示される。かかる場合、ＵＥは、ＣＣ１におけるＤＬ受信を行い、ＣＣ２におけるＵＬ送信を行わないように制御してもよい。
【００８１】
ケース１６では、リファレンスセルとなるＣＣ１に対してＵＬ伝送指示（例えば、ＵＬグラント）がＤＣＩで送信され、ＣＣ２に対してＤＬ伝送指示（例えば、ＤＬ設定）が上位レイヤシグナリングで指示される。かかる場合、ＵＥは、ＣＣ１におけるＵＬ送信を行い、ＣＣ２におけるＤＬ受信を行わないように制御してもよい。
【００８２】
なお、他のケース（ケース１−３、５−７、９−１１、１３−１５、１７、１８）については、ＵＥ動作１と同様に制御してもよい（例えば、エラーケース）。
【００８３】
このように、ＵＥ動作２では、所定期間にスロットフォーマットがフレキシブル（Ｆ）に設定される複数のセル（例えば、ＣＣ１とＣＣ２）間で異なる伝送方向が指示された場合、セル種別と伝送方向の指示に用いられる方法に基づいて送受信を制御する。このため、所定セルの伝送方向の指示が第１の方法（例えば、下り制御情報）で設定され、他のセルの伝送方向の指示が第２の方法（例えば、上位レイヤシグナリング）で設定される場合に所定セルにおいて送受信を行うことができる。これにより、フレキシブル（Ｆ）が設定される複数セル間においてハーフデュプレックス動作を行う場合でも所定セルにおける送信機会を増やすことが可能となる。
【００８４】
なお、各セルの送受信の指示方法（例えば、信号種別）が同じ場合であっても、異なる伝送方向が指示された場合には、所定セル（リファレンスセル）の送受信を優先して適用してもよい。例えば、ケース３、６、７、１０、１４、１５、１８の少なくとも一つにおいてエラーケースとせずに、ＣＣ１の送受信を行う構成としてもよい。
【００８５】
＜ＵＥ動作３＞
図５は、複数セル（ここでは、ＣＣ１、ＣＣ２）を利用する場合のＵＥ動作の一例を示す図である。具体的に、図５では、所定期間（例えば、所定スロット、又は所定シンボル期間）において、ＣＣ１とＣＣ２に異なる伝送方向が設定された場合のＵＥ動作（ケース１−１８）を示している。伝送方向の設定は、ＵＬ送信、ＤＬ受信、ダイナミックＵＬスロットフォーマット、及びダイナミックＤＬスロットフォーマットの指示のいずれかと読み替えてもよい。
【００８６】
ＵＥ動作３では、スロットフォーマットがフレキシブル（Ｆ）に設定される複数のセル（例えば、ＣＣ１とＣＣ２）に対して異なる伝送方向の送受信が指示された場合、セル種別に関わらず、送受信を指示する方法（例えば、制御信号の種別）及びスロットフォーマットを指示する方法（例えば、制御信号の種別）の少なくとも一方に基づいてＵＥ動作を制御してもよい。
【００８７】
例えば、ＵＥは、下り制御情報（ＤＣＩ）で指示される送受信又はスロットフォーマットと、上位レイヤシグナリング（又は、セミスタティック）で指示される送受信との伝送方向が異なる場合、一方の信号種別（例えば、ＤＣＩ）を優先してもよい。
【００８８】
つまり、上位レイヤシグナリングでフレキシブル（Ｆ）が設定された複数セル間において、第１の方法（例えば、上位レイヤシグナリング）で設定された送受信が、第２の方法（例えば、ＤＣＩ）で指示された送受信によりキャンセルされる構成とする。
【００８９】
図５では、ＣＣ２に対して指示された送受信（例えば、上位レイヤシグナリンで設定された送受信）が、ＣＣ１に対して指示された送受信（例えば、ＤＣＩでスケジューリングされた送受信）によりキャンセルされる（ケース４、８、１２、１６）。また、ＣＣ１に対して指示された送受信（例えば、上位レイヤシグナリンで設定された送受信）が、ＣＣ２に対して指示された送受信（例えば、ＤＣＩでスケジューリングされた送受信）によりキャンセルされる（ケース５、９、１３、１７）。
【００９０】
例えば、ケース５、１３では、ＣＣ１に対してＤＬ伝送指示（例えば、ＤＬ設定）が上位レイヤシグナリングで指示され、ＣＣ２に対してＵＬ伝送指示（例えば、ＵＬグラント及びＵＬスロットフォーマット指示の少なくとも一方）がＤＣＩで送信される。かかる場合、ＵＥは、ＣＣ２におけるＵＬ送信を行い、ＣＣ１におけるＤＬ受信を行わないように制御してもよい。
【００９１】
つまり、ＣＣ１にセミスタティックに設定されるＤＬ受信がＣＣ２で通知されるＵＬグラント及びＵＬスロットフォーマット指示の少なくとも一方によりキャンセルされてもよい。
【００９２】
ケース９、１７では、ＣＣ１に対してＵＬ伝送指示（例えば、ＵＬ設定）が上位レイヤシグナリングで指示され、ＣＣ２に対してＤＬ伝送指示（例えば、ＤＬアサイメント及びＤＬスロットフォーマット指示の少なくとも一方）がＤＣＩで送信される。かかる場合、ＵＥは、ＣＣ２におけるＤＬ受信を行い、ＣＣ１におけるＵＬ送信を行わないように制御してもよい。
【００９３】
つまり、ＣＣ１にセミスタティックに設定されるＵＬ送信がＣＣ２で通知されるＤＬアサイメント及びＤＬスロットフォーマット指示の少なくとも一方によりキャンセルされてもよい。なお、ＵＥは、ＵＬ設定のキャンセルまでに十分な時間が確保できる場合にＵＬ送信のキャンセルを行う構成としてもよい。
【００９４】
なお、他のケース（ケース４、８、１２、１６）はＵＥ動作２と同様に制御し（例えば、ＣＣ１の送受信を行いＣＣ２の送受信をキャンセル）、他のケース（ケース１−３、６、７、１０、１１、１４、１５、１８）については、ＵＥ動作１と同様に制御してもよい（例えば、エラーケース）。
【００９５】
このように、ＵＥ動作３では、所定期間にスロットフォーマットがフレキシブル（Ｆ）に設定される複数のセル（例えば、ＣＣ１とＣＣ２）間で異なる伝送方向が指示された場合、セル種別に関わらず伝送方向の指示に用いられる方法に基づいて送受信を制御する。このため、これにより、フレキシブル（Ｆ）が設定される複数セル間においてハーフデュプレックス動作を行う場合でも所定セルにおける送信機会を効果的に増やすことが可能となる。
【００９６】
なお、各セルにおける送受信をスロットフォーマットの設定方法（例えば、通知に利用する信号種別）に基づいて制御してもよい。例えば、下り制御情報を利用してスロットフォーマットがＣＣ１に設定される場合（例えば、ケース１０−１８）、ＣＣ１の送受信が他セル（例えば、ＣＣ２）によりキャンセルされない構成としてもよい。例えば、図５において、ケース１３、１７においてＣＣ１の送受信がＣＣ２によりキャンセルされないように制御してもよい（例えば、エラーケース）。
【００９７】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【００９８】
図６は、一実施形態に係る無線通信システムの概略構成の一例を示す図である。無線通信システム１は、Third  Generation  Partnership  Project（３ＧＰＰ）によって仕様化されるLong  Term  Evolution（ＬＴＥ）、5th  generation  mobile  communication  system  New  Radio（５Ｇ  ＮＲ）などを用いて通信を実現するシステムであってもよい。
【００９９】
また、無線通信システム１は、複数のRadio  Access  Technology（ＲＡＴ）間のデュアルコネクティビティ（マルチＲＡＴデュアルコネクティビティ（Multi-RAT  Dual  Connectivity（ＭＲ−ＤＣ）））をサポートしてもよい。ＭＲ−ＤＣは、ＬＴＥ（Evolved  Universal  Terrestrial  Radio  Access（Ｅ−ＵＴＲＡ））とＮＲとのデュアルコネクティビティ（E-UTRA-NR  Dual  Connectivity（ＥＮ−ＤＣ））、ＮＲとＬＴＥとのデュアルコネクティビティ（NR-E-UTRA  Dual  Connectivity（ＮＥ−ＤＣ））などを含んでもよい。
【０１００】
ＥＮ−ＤＣでは、ＬＴＥ（Ｅ−ＵＴＲＡ）の基地局（ｅＮＢ）がマスタノード（Master  Node（ＭＮ））であり、ＮＲの基地局（ｇＮＢ）がセカンダリノード（Secondary  Node（ＳＮ））である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１０１】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（NR-NR  Dual  Connectivity（ＮＮ−ＤＣ）））をサポートしてもよい。
【０１０２】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１０３】
ユーザ端末２０は、複数の基地局１０のうち、少なくとも１つに接続してもよい。ユーザ端末２０は、複数のコンポーネントキャリア（Component  Carrier（ＣＣ））を用いたキャリアアグリゲーション（Carrier  Aggregation（ＣＡ））及びデュアルコネクティビティ（ＤＣ）の少なくとも一方を利用してもよい。
【０１０４】
各ＣＣは、第１の周波数帯（Frequency  Range  1（ＦＲ１））及び第２の周波数帯（Frequency  Range  2（ＦＲ２））の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１０５】
また、ユーザ端末２０は、各ＣＣにおいて、時分割複信（Time  Division  Duplex（ＴＤＤ））及び周波数分割複信（Frequency  Division  Duplex（ＦＤＤ））の少なくとも１つを用いて通信を行ってもよい。
【０１０６】
複数の基地局１０は、有線（例えば、Common  Public  Radio  Interface（ＣＰＲＩ）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はIntegrated  Access  Backhaul（ＩＡＢ）ドナー、中継局（リレー）に該当する基地局１２はＩＡＢノードと呼ばれてもよい。
【０１０７】
基地局１０は、他の基地局１０を介して、又は直接コアネットワーク３０に接続されてもよい。コアネットワーク３０は、例えば、Evolved  Packet  Core（ＥＰＣ）、5G  Core  Network（５ＧＣＮ）、Next  Generation  Core（ＮＧＣ）などの少なくとも１つを含んでもよい。
【０１０８】
ユーザ端末２０は、ＬＴＥ、ＬＴＥ−Ａ、５Ｇなどの通信方式の少なくとも１つに対応した端末であってもよい。
【０１０９】
無線通信システム１においては、直交周波数分割多重（Orthogonal  Frequency  Division  Multiplexing（ＯＦＤＭ））ベースの無線アクセス方式が利用されてもよい。例えば、下りリンク（Downlink（ＤＬ））及び上りリンク（Uplink（ＵＬ））の少なくとも一方において、Cyclic  Prefix  OFDM（ＣＰ−ＯＦＤＭ）、Discrete  Fourier  Transform  Spread  OFDM（ＤＦＴ−ｓ−ＯＦＤＭ）、Orthogonal  Frequency  Division  Multiple  Access（ＯＦＤＭＡ）、Single  Carrier  Frequency  Division  Multiple  Access（ＳＣ−ＦＤＭＡ）などが利用されてもよい。
【０１１０】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１１１】
無線通信システム１では、下りリンクチャネルとして、各ユーザ端末２０で共有される下り共有チャネル（Physical  Downlink  Shared  Channel（ＰＤＳＣＨ））、ブロードキャストチャネル（Physical  Broadcast  Channel（ＰＢＣＨ））、下り制御チャネル（Physical  Downlink  Control  Channel（ＰＤＣＣＨ））などが用いられてもよい。
【０１１２】
また、無線通信システム１では、上りリンクチャネルとして、各ユーザ端末２０で共有される上り共有チャネル（Physical  Uplink  Shared  Channel（ＰＵＳＣＨ））、上り制御チャネル（Physical  Uplink  Control  Channel（ＰＵＣＣＨ））、ランダムアクセスチャネル（Physical  Random  Access  Channel（ＰＲＡＣＨ））などが用いられてもよい。
【０１１３】
ＰＤＳＣＨによって、ユーザデータ、上位レイヤ制御情報、System  Information  Block（ＳＩＢ）などが伝送される。ＰＵＳＣＨによって、ユーザデータ、上位レイヤ制御情報などが伝送されてもよい。また、ＰＢＣＨによって、Master  Information  Block（ＭＩＢ）が伝送されてもよい。
【０１１４】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（Downlink  Control  Information（ＤＣＩ））を含んでもよい。
【０１１５】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１１６】
ＰＤＣＣＨの検出には、制御リソースセット（COntrol  REsource  SET（ＣＯＲＥＳＥＴ））及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１１７】
１つのサーチスペースは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１１８】
ＰＵＣＣＨによって、チャネル状態情報（Channel  State  Information（ＣＳＩ））、送達確認情報（例えば、Hybrid  Automatic  Repeat  reQuest  ACKnowledgement（ＨＡＲＱ−ＡＣＫ）、ＡＣＫ／ＮＡＣＫなどと呼ばれてもよい）及びスケジューリングリクエスト（Scheduling  Request（ＳＲ））の少なくとも１つを含む上り制御情報（Uplink  Control  Information（ＵＣＩ））が伝送されてもよい。ＰＲＡＣＨによって、セルとの接続確立のためのランダムアクセスプリアンブルが伝送されてもよい。
【０１１９】
なお、本開示において下りリンク、上りリンクなどは「リンク」を付けずに表現されてもよい。また、各種チャネルの先頭に「物理（Physical）」を付けずに表現されてもよい。
【０１２０】
無線通信システム１では、同期信号（Synchronization  Signal（ＳＳ））、下りリンク参照信号（Downlink  Reference  Signal（ＤＬ−ＲＳ））などが伝送されてもよい。無線通信システム１では、ＤＬ−ＲＳとして、セル固有参照信号（Cell-specific  Reference  Signal（ＣＲＳ））、チャネル状態情報参照信号（Channel  State  Information  Reference  Signal（ＣＳＩ−ＲＳ））、復調用参照信号（DeModulation  Reference  Signal（ＤＭＲＳ））、位置決定参照信号（Positioning  Reference  Signal（ＰＲＳ））、位相トラッキング参照信号（Phase  Tracking  Reference  Signal（ＰＴＲＳ））などが伝送されてもよい。
【０１２１】
同期信号は、例えば、プライマリ同期信号（Primary  Synchronization  Signal（ＰＳＳ））及びセカンダリ同期信号（Secondary  Synchronization  Signal（ＳＳＳ））の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、SS  Block（ＳＳＢ）などと呼ばれてもよい。なお、ＳＳ、ＳＳＢなども、参照信号と呼ばれてもよい。
【０１２２】
また、無線通信システム１では、上りリンク参照信号（Uplink  Reference  Signal（ＵＬ−ＲＳ））として、測定用参照信号（Sounding  Reference  Signal（ＳＲＳ））、復調用参照信号（ＤＭＲＳ）などが伝送されてもよい。なお、ＤＭＲＳはユーザ端末固有参照信号（UE-specific  Reference  Signal）と呼ばれてもよい。
【０１２３】
（基地局）
図７は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１２４】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１２５】
制御部１１０は、基地局１０全体の制御を実施する。制御部１１０は、本開示に係る技術分野での共通認識に基づいて説明されるコントローラ、制御回路などから構成することができる。
【０１２６】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１２７】
送受信部１２０は、ベースバンド（baseband）部１２１、Radio  Frequency（ＲＦ）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１２８】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１２９】
送受信アンテナ１３０は、本開示に係る技術分野での共通認識に基づいて説明されるアンテナ、例えばアレイアンテナなどから構成することができる。
【０１３０】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１３１】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１３２】
送受信部１２０（送信処理部１２１１）は、例えば制御部１１０から取得したデータ、制御情報などに対して、Packet  Data  Convergence  Protocol（ＰＤＣＰ）レイヤの処理、Radio  Link  Control（ＲＬＣ）レイヤの処理（例えば、ＲＬＣ再送制御）、Medium  Access  Control（ＭＡＣ）レイヤの処理（例えば、ＨＡＲＱ再送制御）などを行い、送信するビット列を生成してもよい。
【０１３３】
送受信部１２０（送信処理部１２１１）は、送信するビット列に対して、チャネル符号化（誤り訂正符号化を含んでもよい）、変調、マッピング、フィルタ処理、離散フーリエ変換（Discrete  Fourier  Transform（ＤＦＴ））処理（必要に応じて）、逆高速フーリエ変換（Inverse  Fast  Fourier  Transform（ＩＦＦＴ））処理、プリコーディング、デジタル−アナログ変換などの送信処理を行い、ベースバンド信号を出力してもよい。
【０１３４】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１３５】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１３６】
送受信部１２０（受信処理部１２１２）は、取得されたベースバンド信号に対して、アナログ−デジタル変換、高速フーリエ変換（Fast  Fourier  Transform（ＦＦＴ））処理、逆離散フーリエ変換（Inverse  Discrete  Fourier  Transform（ＩＤＦＴ））処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１３７】
送受信部１２０（測定部１２３）は、受信した信号に関する測定を実施してもよい。例えば、測定部１２３は、受信した信号に基づいて、Radio  Resource  Management（ＲＲＭ）測定、Channel  State  Information（ＣＳＩ）測定などを行ってもよい。測定部１２３は、受信電力（例えば、Reference  Signal  Received  Power（ＲＳＲＰ））、受信品質（例えば、Reference  Signal  Received  Quality（ＲＳＲＱ）、Signal  to  Interference  plus  Noise  Ratio（ＳＩＮＲ）、Signal  to  Noise  Ratio（ＳＮＲ））、信号強度（例えば、Received  Signal  Strength  Indicator（ＲＳＳＩ））、伝搬路情報（例えば、ＣＳＩ）などについて測定してもよい。測定結果は、制御部１１０に出力されてもよい。
【０１３８】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１３９】
なお、本開示における基地局１０の送信部及び受信部は、送受信部１２０、送受信アンテナ１３０及び伝送路インターフェース１４０の少なくとも１つによって構成されてもよい。
【０１４０】
なお、送受信部１２０は、セルのスロットフォーマットを指定するスロットフォーマットに関する情報（スロットフォーマット情報）を上位レイヤシグナリング（例えば、ＲＲＣシグナリング）及びＤＣＩの少なくとも一つを利用して送信してもよい。また、送受信部１２０は、ＵＥにおけるＵＬ送信を指示する下り制御情報（例えば、ＵＬグラント）及び上位レイヤシグナリングの少なくとも一つを送信してもよい。また、送受信部１２０は、ＵＥにおけるＤＬ受信を指示する下り制御情報（例えば、ＤＬアサイメント）及び上位レイヤシグナリングの少なくとも一つを送信してもよい。
【０１４１】
制御部１１０は、各セルに設定するスロットフォーマットを制御してもよい。また、制御部１１０は、セル種別、各セルのスロットフォーマットの指示方法（例えば、指示に利用する信号種別）、及び各セルの送受信の指示方法（例えば、指示に利用する信号種別）の少なくとも一つに基づいて各セルのＵＬ送信又はＤＬ受信を制御してもよい。
【０１４２】
（ユーザ端末）
図８は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１４３】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１４４】
制御部２１０は、ユーザ端末２０全体の制御を実施する。制御部２１０は、本開示に係る技術分野での共通認識に基づいて説明されるコントローラ、制御回路などから構成することができる。
【０１４５】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１４６】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１４７】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１４８】
送受信アンテナ２３０は、本開示に係る技術分野での共通認識に基づいて説明されるアンテナ、例えばアレイアンテナなどから構成することができる。
【０１４９】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１５０】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１５１】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１５２】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１５３】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１５４】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１５５】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１５６】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１５７】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１５８】
なお、本開示におけるユーザ端末２０の送信部及び受信部は、送受信部２２０、送受信アンテナ２３０及び伝送路インターフェース２４０の少なくとも１つによって構成されてもよい。
【０１５９】
なお、送受信部２２０は、セルのスロットフォーマットを指定するスロットフォーマットに関する情報（スロットフォーマット情報）を上位レイヤシグナリング（例えば、ＲＲＣシグナリング）及びＤＣＩの少なくとも一つを利用して受信してもよい。また、送受信部２２０は、ＵＥにおけるＵＬ送信を指示する下り制御情報（例えば、ＵＬグラント）及び上位レイヤシグナリングの少なくとも一つを受信してもよい。また、送受信部２２０は、ＵＥにおけるＤＬ受信を指示する下り制御情報（例えば、ＤＬアサイメント）及び上位レイヤシグナリングの少なくとも一つを受信してもよい。
【０１６０】
制御部２１０は、スロットフォーマットがフレキシブルに設定される複数のセル間で異なる伝送方向の送受信が指示される場合、各セルの送受信の指示方法に基づいて所定セルの送受信を行い他セルの送受信を行わないように制御してもよい。所定セルに対する送受信の指示が下り制御情報で行われ、他セルに対する送受信の指示が上位レイヤシグナリングで行われてもよい。また、所定セル（リファレンスセルとも呼ぶ）は、あらかじめ定義されたセルでもよい。
【０１６１】
あるいは、制御部２１０は、スロットフォーマットがフレキシブルに設定される複数のセル間で異なる伝送方向の送受信が指示される場合にエラーケースと判断してもよい。例えば、制御部２１０は、第１のセルに対する送受信の指示が下り制御情報で行われ、第２のセルに対する送受信の指示が上位レイヤシグナリングで行われ、第１のセルと第２のセルに指示される送受信の伝送方向が異なる場合に第１のセル及び第２のセルの送受信を行わないように制御してもよい。
【０１６２】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１６３】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１６４】
例えば、本開示の一実施形態における基地局、ユーザ端末などは、本開示の無線通信方法の処理を行うコンピュータとして機能してもよい。図９は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１６５】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１６６】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１６７】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１６８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（Central  Processing  Unit（ＣＰＵ））によって構成されてもよい。例えば、上述の制御部１１０（２１０）、送受信部１２０（２２０）などの少なくとも一部は、プロセッサ１００１によって実現されてもよい。
【０１６９】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１７０】
メモリ１００２は、コンピュータ読み取り可能な記録媒体であり、例えば、Read  Only  Memory（ＲＯＭ）、Erasable  Programmable  ROM（ＥＰＲＯＭ）、Electrically  EPROM（ＥＥＰＲＯＭ）、Random  Access  Memory（ＲＡＭ）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１７１】
ストレージ１００３は、コンピュータ読み取り可能な記録媒体であり、例えば、フレキシブルディスク、フロッピー（登録商標）ディスク、光磁気ディスク（例えば、コンパクトディスク（Compact  Disc  ROM（ＣＤ−ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１７２】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（Frequency  Division  Duplex（ＦＤＤ））及び時分割複信（Time  Division  Duplex（ＴＤＤ））の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０１７３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、Light  Emitting  Diode（ＬＥＤ）ランプなど）である。なお、入力装置１００５及び出力装置１００６は、一体となった構成（例えば、タッチパネル）であってもよい。
【０１７４】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１７５】
また、基地局１０及びユーザ端末２０は、マイクロプロセッサ、デジタル信号プロセッサ（Digital  Signal  Processor（ＤＳＰ））、Application  Specific  Integrated  Circuit（ＡＳＩＣ）、Programmable  Logic  Device（ＰＬＤ）、Field  Programmable  Gate  Array（ＦＰＧＡ）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１７６】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号（reference  signal）は、ＲＳと略称することもでき、適用される標準によってパイロット（Pilot）、パイロット信号などと呼ばれてもよい。また、コンポーネントキャリア（Component  Carrier（ＣＣ））は、セル、周波数キャリア、キャリア周波数などと呼ばれてもよい。
【０１７７】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１７８】
ここで、ニューメロロジーは、ある信号又はチャネルの送信及び受信の少なくとも一方に適用される通信パラメータであってもよい。ニューメロロジーは、例えば、サブキャリア間隔（SubCarrier  Spacing（ＳＣＳ））、帯域幅、シンボル長、サイクリックプレフィックス長、送信時間間隔（Transmission  Time  Interval（ＴＴＩ））、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１７９】
スロットは、時間領域において１つ又は複数のシンボル（Orthogonal  Frequency  Division  Multiplexing（ＯＦＤＭ）シンボル、Single  Carrier  Frequency  Division  Multiple  Access（ＳＣ−ＦＤＭＡ）シンボルなど）によって構成されてもよい。また、スロットは、ニューメロロジーに基づく時間単位であってもよい。
【０１８０】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１８１】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１８２】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１８３】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１８４】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１８５】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１８６】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１８７】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１８８】
リソースブロック（Resource  Block（ＲＢ））は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１８９】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１９０】
なお、１つ又は複数のＲＢは、物理リソースブロック（Physical  RB（ＰＲＢ））、サブキャリアグループ（Sub-Carrier  Group（ＳＣＧ））、リソースエレメントグループ（Resource  Element  Group（ＲＥＧ））、ＰＲＢペア、ＲＢペアなどと呼ばれてもよい。
【０１９１】
また、リソースブロックは、１つ又は複数のリソースエレメント（Resource  Element（ＲＥ））によって構成されてもよい。例えば、１ＲＥは、１サブキャリア及び１シンボルの無線リソース領域であってもよい。
【０１９２】
帯域幅部分（Bandwidth  Part（ＢＷＰ））（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１９３】
ＢＷＰには、ＵＬ  ＢＷＰ（ＵＬ用のＢＷＰ）と、ＤＬ  ＢＷＰ（ＤＬ用のＢＷＰ）とが含まれてもよい。ＵＥに対して、１キャリア内に１つ又は複数のＢＷＰが設定されてもよい。
【０１９４】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１９５】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（Cyclic  Prefix（ＣＰ））長などの構成は、様々に変更することができる。
【０１９６】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１９７】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１９８】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１９９】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２００】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２０１】
情報の通知は、本開示において説明した態様／実施形態に限られず、他の方法を用いて行われてもよい。例えば、本開示における情報の通知は、物理レイヤシグナリング（例えば、下り制御情報（Downlink  Control  Information（ＤＣＩ））、上り制御情報（Uplink  Control  Information（ＵＣＩ）））、上位レイヤシグナリング（例えば、Radio  Resource  Control（ＲＲＣ）シグナリング、ブロードキャスト情報（マスタ情報ブロック（Master  Information  Block（ＭＩＢ））、システム情報ブロック（System  Information  Block（ＳＩＢ））など）、Medium  Access  Control（ＭＡＣ）シグナリング）、その他の信号又はこれらの組み合わせによって実施されてもよい。
【０２０２】
なお、物理レイヤシグナリングは、Layer  1／Layer  2（Ｌ１／Ｌ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  Control  Element（ＣＥ））を用いて通知されてもよい。
【０２０３】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２０４】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２０５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２０６】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（Digital  Subscriber  Line（ＤＳＬ））など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２０７】
本開示において使用する「システム」及び「ネットワーク」という用語は、互換的に使用され得る。「ネットワーク」は、ネットワークに含まれる装置（例えば、基地局）のことを意味してもよい。
【０２０８】
本開示において、「プリコーディング」、「プリコーダ」、「ウェイト（プリコーディングウェイト）」、「擬似コロケーション（Quasi-Co-Location（ＱＣＬ））」、「Transmission  Configuration  Indication  state（ＴＣＩ状態）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２０９】
本開示においては、「基地局（Base  Station（ＢＳ））」、「無線基地局」、「固定局（fixed  station）」、「ＮｏｄｅＢ」、「ｅＮＢ（ｅＮｏｄｅＢ）」、「ｇＮＢ（ｇＮｏｄｅＢ）」、「アクセスポイント（access  point）」、「送信ポイント（Transmission  Point（ＴＰ））」、「受信ポイント（Reception  Point（ＲＰ））」、「送受信ポイント（Transmission/Reception  Point（ＴＲＰ））」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２１０】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（Remote  Radio  Head（ＲＲＨ）））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２１１】
本開示においては、「移動局（Mobile  Station（ＭＳ））」、「ユーザ端末（user  terminal）」、「ユーザ装置（User  Equipment（ＵＥ））」、「端末」などの用語は、互換的に使用され得る。
【０２１２】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２１３】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのInternet  of  Things（ＩｏＴ）機器であってもよい。
【０２１４】
また、本開示における基地局は、ユーザ端末で読み替えてもよい。例えば、基地局及びユーザ端末間の通信を、複数のユーザ端末間の通信（例えば、Device-to-Device（Ｄ２Ｄ）、Vehicle-to-Everything（Ｖ２Ｘ）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２１５】
同様に、本開示におけるユーザ端末は、基地局で読み替えてもよい。この場合、上述のユーザ端末２０が有する機能を基地局１０が有する構成としてもよい。
【０２１６】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、Mobility  Management  Entity（ＭＭＥ）、Serving-Gateway（Ｓ−ＧＷ）などが考えられるが、これらに限られない）又はこれらの組み合わせによって行われ得ることは明らかである。
【０２１７】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２１８】
本開示において説明した各態様／実施形態は、Long  Term  Evolution（ＬＴＥ）、LTE-Advanced（ＬＴＥ−Ａ）、LTE-Beyond（ＬＴＥ−Ｂ）、ＳＵＰＥＲ  ３Ｇ、ＩＭＴ−Ａｄｖａｎｃｅｄ、4th  generation  mobile  communication  system（４Ｇ）、5th  generation  mobile  communication  system（５Ｇ）、Future  Radio  Access（ＦＲＡ）、Ｎｅｗ−Radio  Access  Technology（ＲＡＴ）、New  Radio（ＮＲ）、New  radio  access（ＮＸ）、Future  generation  radio  access（ＦＸ）、Global  System  for  Mobile  communications（ＧＳＭ（登録商標））、ＣＤＭＡ２０００、Ultra  Mobile  Broadband（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ultra-WideBand（ＵＷＢ）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２１９】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２２０】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２２１】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２２２】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２２３】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２２４】
また、「判断（決定）」は、「想定する（assuming）」、「期待する（expecting）」、「みなす（considering）」などで読み替えられてもよい。
【０２２５】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２２６】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２２７】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２２８】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２２９】
本開示において、例えば、英語でのa,  an及びtheのように、翻訳によって冠詞が追加された場合、本開示は、これらの冠詞の後に続く名詞が複数形であることを含んでもよい。
【０２３０】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020105180.tif 000003
【図２】
2020105180.tif 000004
【図３】
2020105180.tif 000005
【図４】
2020105180.tif 000006
【図５】
2020105180.tif 000007
【図６】
2020105180.tif 000008
【図７】
2020105180.tif 000009
【図８】
2020105180.tif 000010
【図９】
2020105180.tif 000011
【国際調査報告】
2020105180.tif 000012
2020105180.tif 000013
2020105180.tif 000014
2020105180.tif 000015